(57)【要約】【課題】利用者が複数のコンテンツを利用して複次利用コンテンツを作成する際に、各々のコンテンツに対応する権利範囲が考慮された、複次利用コンテンツに関する権利範囲を利用者に容易に把握させることが可能なコンテンツ管理装置、コンピュータプログラム、及び情報提示方法を提供する。【解決手段】コンテンツ管理装置は、複数のコンテンツを利用して２次利用コンテンツを作成するユーザにより指定された当該複数のコンテンツと、当該指定された各々のコンテンツに対応する権利情報を取得する。そして、コンテンツ管理装置は、２次利用コンテンツの権利範囲を、上記取得された複数の権利情報に基づいて決定し、当該決定された権利範囲をユーザに対して提示する。【選択図】図４
2013073491.tif 000002
【特許請求の範囲】
【請求項１】
複数のコンテンツを管理するコンテンツ管理装置において、
前記コンテンツと当該コンテンツの利用に関する権利範囲を規定する権利情報をコンテンツ毎に対応付けて記憶する記憶手段と、
前記複数のコンテンツを利用して複次利用コンテンツを作成する利用者により指定された前記複数のコンテンツと、当該指定された各々の前記コンテンツに対応する前記権利情報を前記記憶手段から取得する取得手段と、
前記複次利用コンテンツの利用に関する権利範囲を、前記取得手段により取得された複数の前記権利情報に基づいて決定する決定手段と、
前記決定手段により決定された前記権利範囲を前記利用者に対して提示する提示手段と、
を備えることを特徴とするコンテンツ管理装置。
【請求項２】
前記権利範囲は、前記コンテンツに対する複数種類の利用行為毎に当該利用行為を許可するか否かを示し、
前記取得手段により取得された各々の前記コンテンツに対応する前記権利範囲に示される複数種類の利用行為の中で、前記取得手段により取得された前記複数のコンテンツのうちの一部のコンテンツで許可されていない利用行為を特定する特定手段と、
前記特定手段により特定された利用行為を許可していない前記コンテンツの作成に当たり過去に利用されたコンテンツ及び当該コンテンツに対応する前記権利情報を前記記憶手段から検索する検索手段と、
前記検索手段により検索された前記権利情報に基づいて、前記検索手段により検索された前記コンテンツに対する利用行為であって前記特定手段により特定された利用行為が許可されているか否かを判定する判定手段と、
を備え、
前記判定手段により前記利用行為が許可されていると判定された場合に、前記提示手段は、前記検索手段により検索された前記コンテンツを前記利用者に対して提示することを特徴とする請求項１に記載のコンテンツ管理装置。
【請求項３】
前記権利範囲は、前記コンテンツに対する複数種類の利用行為毎に当該利用行為を許可するか否かを示し、
前記提示手段は、前記取得手段により取得された各々の前記コンテンツに対応する前記権利範囲に示される複数種類の利用行為の中で、前記取得手段により取得された前記複数のコンテンツのうちの一部のコンテンツで許可されている利用行為と、前記取得手段により取得された全ての前記コンテンツで許可されていない利用行為とを異なる提示態様で前記利用者に提示することを特徴とする請求項１に記載のコンテンツ管理装置。
【請求項４】
前記権利範囲は、前記コンテンツに対する複数種類の利用行為毎に当該利用行為を許可するか否かを示し、
前記決定手段は、前記取得手段により取得された各々の前記コンテンツに対応する前記権利範囲に示される複数種類の利用行為の中で、前記取得手段により取得された全ての前記コンテンツで許可されている利用行為を、前記複次利用コンテンツに対する利用行為として許可することを示す権利範囲を決定し、
前記提示手段は、前記決定手段により決定された、前記複次利用コンテンツに対する利用行為を許可することを示す前記権利範囲を前記利用者に対して提示することを特徴とする請求項１に記載のコンテンツ管理装置。
【請求項５】
前記複数のコンテンツを利用して作成された前記複次利用コンテンツの登録指示を受け付ける受付手段と、
前記受付手段により受け付けられた登録指示に応じて、前記複次利用コンテンツの作成にあたり利用された各々の前記コンテンツの作成者に対して、前記コンテンツが利用されて前記複次利用コンテンツが作成されたことを示す情報を通知する通知手段と、
を更に備えることを特徴とする請求項１乃至４の何れか一項に記載のコンテンツ管理装置。
【請求項６】
複数のコンテンツと各々の前記コンテンツの利用に関する権利範囲を規定する権利情報をコンテンツ毎に対応付けて記憶する記憶手段にアクセス可能なコンピュータに、
前記複数のコンテンツを利用して複次利用コンテンツを作成する利用者により指定された前記複数のコンテンツと、当該指定された各々の前記コンテンツに対応する前記権利情報を前記記憶手段から取得する取得ステップと、
前記複次利用コンテンツの利用に関する権利範囲を、前記取得ステップにより取得された複数の前記権利情報に基づいて決定する決定ステップと、
前記決定ステップにより決定された前記権利範囲を前記利用者に対して提示する提示ステップと、
を実行させることを特徴とするコンピュータプログラム。
【請求項７】
複数のコンテンツと各々の前記コンテンツの利用に関する権利範囲を規定する権利情報をコンテンツ毎に対応付けて記憶する記憶手段にアクセス可能なコンピュータに、
前記記憶手段に記憶されている前記複数のコンテンツを利用して複次利用コンテンツを作成する利用者から、前記複数のコンテンツの指定を受け付けるステップと、
前記利用者により指定された各々の前記コンテンツに対応する前記権利情報に基づいて決定された権利範囲であって前記複次利用コンテンツの利用に関する権利範囲を規定する権利情報を前記利用者に対して提示するステップと、
を実行させることを特徴とするコンピュータプログラム。
【請求項８】
複数のコンテンツと各々の前記コンテンツの利用に関する権利範囲を規定する権利情報をコンテンツ毎に対応付けて記憶する記憶手段を備えるコンピュータにおける情報提示方法であって、
前記複数のコンテンツを利用して複次利用コンテンツを作成する利用者により指定された前記複数のコンテンツと、当該指定された各々の前記コンテンツに対応する前記権利情報を前記記憶手段から取得する取得ステップと、
前記複次利用コンテンツの利用に関する権利範囲を、前記取得ステップにより取得された複数の前記権利情報に基づいて決定する決定ステップと、
前記決定ステップにより決定された前記権利範囲を前記利用者に対して提示する提示ステップと、
を含むことを特徴とする情報提示方法。
【発明の詳細な説明】
【技術分野】
【０００１】
著作権により保護されるコンテンツの利用に関する権利範囲を規定する権利情報を管理する管理装置等の技術分野に関する。
【背景技術】
【０００２】
著作権により保護されるコンテンツを利用して２次利用コンテンツを作成した場合（言い換えれば、コンテンツに対して加工を行った場合）、２次利用コンテンツの利用に関する権利範囲は、２次利用コンテンツの作成にあたり利用されたコンテンツの利用に関する権利範囲より広い範囲にならないように設定しなければならない。特許文献１には、コンテンツに対して加工を行った場合に、２次利用コンテンツに対する複雑な著作権の種類を考慮せずに、許諾内容間の整合性を維持しつつ、適切な許諾内容を設定することができるデジタルコンテンツ権利生成装置が提案されている。なお、２次利用コンテンツを利用して作成されたコンテンツは３次利用コンテンツというが、２次以降の利用コンテンツを「複次利用コンテンツ」といい、複次利用コンテンツの作成に当たり利用されたコンテンツを「原コンテンツ」という。
【先行技術文献】
【特許文献】
【０００３】
【特許文献１】特開２００６−１８７５３号公報
【発明の概要】
【発明が解決しようとする課題】
【０００４】
ところで、特許文献１等の従来の技術では、単一の原コンテンツを利用して複次利用コンテンツを作成することを考慮しているが、複数の原コンテンツを利用して複次利用コンテンツを作成することについて考慮されていない。そのため、複数の原コンテンツを利用して複次利用コンテンツが作成される場合、各々の原コンテンツに対応する権利範囲が考慮された、複次利用コンテンツに関する権利範囲を利用者が容易に把握することは困難であった。
【０００５】
そこで、本発明は、以上の点等に鑑みてなされたものであり、利用者が複数のコンテンツを利用して複次利用コンテンツを作成する際に、各々のコンテンツに対応する権利範囲が考慮された、複次利用コンテンツに関する権利範囲を利用者に容易に把握させることが可能なコンテンツ管理装置、コンピュータプログラム、及び情報提示方法を提供すること等を課題とする。
【課題を解決するための手段】
【０００６】
上記課題を解決するために、請求項１に記載の発明は、複数のコンテンツを管理するコンテンツ管理装置において、前記コンテンツと当該コンテンツの利用に関する権利範囲を規定する権利情報をコンテンツ毎に対応付けて記憶する記憶手段と、前記複数のコンテンツを利用して複次利用コンテンツを作成する利用者により指定された前記複数のコンテンツと、当該指定された各々の前記コンテンツに対応する前記権利情報を前記記憶手段から取得する取得手段と、前記複次利用コンテンツの利用に関する権利範囲を、前記取得手段により取得された複数の前記権利情報に基づいて決定する決定手段と、前記決定手段により決定された前記権利範囲を前記利用者に対して提示する提示手段と、を備えることを特徴とする。
【０００７】
請求項２に記載の発明は、請求項１に記載のコンテンツ管理装置において、前記権利範囲は、前記コンテンツに対する複数種類の利用行為毎に当該利用行為を許可するか否かを示し、前記取得手段により取得された各々の前記コンテンツに対応する前記権利範囲に示される複数種類の利用行為の中で、前記取得手段により取得された前記複数のコンテンツのうちの一部のコンテンツで許可されていない利用行為を特定する特定手段と、前記特定手段により特定された利用行為を許可していない前記コンテンツの作成に当たり過去に利用されたコンテンツ及び当該コンテンツに対応する前記権利情報を前記記憶手段から検索する検索手段と、前記検索手段により検索された前記権利情報に基づいて、前記検索手段により検索された前記コンテンツに対する利用行為であって前記特定手段により特定された利用行為が許可されているか否かを判定する判定手段と、を備え、前記判定手段により前記利用行為が許可されていると判定された場合に、前記提示手段は、前記検索手段により検索された前記コンテンツを前記利用者に対して提示することを特徴とする。
【０００８】
請求項３に記載の発明は、請求項１に記載のコンテンツ管理装置において、前記権利範囲は、前記コンテンツに対する複数種類の利用行為毎に当該利用行為を許可するか否かを示し、前記提示手段は、前記取得手段により取得された各々の前記コンテンツに対応する前記権利範囲に示される複数種類の利用行為の中で、前記取得手段により取得された前記複数のコンテンツのうちの一部のコンテンツで許可されている利用行為と、前記取得手段により取得された全ての前記コンテンツで許可されていない利用行為とを異なる提示態様で前記利用者に提示することを特徴とする。
【０００９】
請求項４に記載の発明は、請求項１に記載のコンテンツ管理装置において、前記権利範囲は、前記コンテンツに対する複数種類の利用行為毎に当該利用行為を許可するか否かを示し、前記決定手段は、前記取得手段により取得された各々の前記コンテンツに対応する前記権利範囲に示される複数種類の利用行為の中で、前記取得手段により取得された全ての前記コンテンツで許可されている利用行為を、前記複次利用コンテンツに対する利用行為として許可することを示す権利範囲を決定し、前記提示手段は、前記決定手段により決定された、前記複次利用コンテンツに対する利用行為を許可することを示す前記権利範囲を前記利用者に対して提示することを特徴とする。
【００１０】
請求項５に記載の発明は、請求項１乃至４の何れか一項に記載のコンテンツ管理装置において、前記複数のコンテンツを利用して作成された前記複次利用コンテンツの登録指示を受け付ける受付手段と、前記受付手段により受け付けられた登録指示に応じて、前記複次利用コンテンツの作成にあたり利用された各々の前記コンテンツの作成者に対して、前記コンテンツが利用されて前記複次利用コンテンツが作成されたことを示す情報を通知する通知手段と、を更に備えることを特徴とする。
【００１１】
請求項６に記載のコンピュータプログラムの発明は、複数のコンテンツと各々の前記コンテンツの利用に関する権利範囲を規定する権利情報をコンテンツ毎に対応付けて記憶する記憶手段にアクセス可能なコンピュータに、前記複数のコンテンツを利用して複次利用コンテンツを作成する利用者により指定された前記複数のコンテンツと、当該指定された各々の前記コンテンツに対応する前記権利情報を前記記憶手段から取得する取得ステップと、前記複次利用コンテンツの利用に関する権利範囲を、前記取得ステップにより取得された複数の前記権利情報に基づいて決定する決定ステップと、前記決定ステップにより決定された前記権利範囲を前記利用者に対して提示する提示ステップと、を実行させることを特徴とする。
【００１２】
請求項７に記載のコンピュータプログラムの発明は、複数のコンテンツと各々の前記コンテンツの利用に関する権利範囲を規定する権利情報をコンテンツ毎に対応付けて記憶する記憶手段にアクセス可能なコンピュータに、前記記憶手段に記憶されている前記複数のコンテンツを利用して複次利用コンテンツを作成する利用者から、前記複数のコンテンツの指定を受け付けるステップと、前記利用者により指定された各々の前記コンテンツに対応する前記権利情報に基づいて決定された権利範囲であって前記複次利用コンテンツの利用に関する権利範囲を規定する権利情報を前記利用者に対して提示するステップと、を実行させることを特徴とする。
【００１３】
請求項８に記載の発明は、複数のコンテンツと各々の前記コンテンツの利用に関する権利範囲を規定する権利情報をコンテンツ毎に対応付けて記憶する記憶手段を備えるコンピュータにおける情報提示方法であって、前記複数のコンテンツを利用して複次利用コンテンツを作成する利用者により指定された前記複数のコンテンツと、当該指定された各々の前記コンテンツに対応する前記権利情報を前記記憶手段から取得する取得ステップと、前記複次利用コンテンツの利用に関する権利範囲を、前記取得ステップにより取得された複数の前記権利情報に基づいて決定する決定ステップと、前記決定ステップにより決定された前記権利範囲を前記利用者に対して提示する提示ステップと、を含むことを特徴とする。
【発明の効果】
【００１４】
請求項１、６〜８に記載の発明によれば、利用者が複数のコンテンツを利用して複次利用コンテンツを作成する際に、各々のコンテンツに対応する権利範囲が考慮された、複次利用コンテンツに関する権利範囲を利用者に容易に把握させることができる。
【００１５】
請求項２に記載の発明によれば、利用者が複数のコンテンツを利用して複次利用コンテンツを作成する際に、各々のコンテンツに対応する権利範囲に示される複数種類の利用行為の中で、ある利用行為を許可していない一部のコンテンツに代替するコンテンツを利用者に容易に把握させることができる。そのため、利用者が最大限、権利範囲を広くした複次利用コンテンツを作成することができる。
【００１６】
請求項３に記載の発明によれば、利用者が複数のコンテンツを利用して複次利用コンテンツを作成する際に、各々のコンテンツに対応する権利範囲に示される複数種類の利用行為の中で、一部のコンテンツで許可されている利用行為と、全てのコンテンツで許可されていない利用行為とを利用者に区別して把握させることができる。
【００１７】
請求項４に記載の発明によれば、利用者が複数のコンテンツを利用して複次利用コンテンツを作成する際に、各々のコンテンツに対応する権利範囲に示される複数種類の利用行為の中で、複次利用コンテンツに対して許可される利用行為を利用者に容易に把握させることができる。
【００１８】
請求項５に記載の発明によれば、複数のコンテンツを利用して複次利用コンテンツが作成された場合に、その旨を各々のコンテンツの作成者に対して迅速に通知することができる。
【図面の簡単な説明】
【００１９】
【図１】本実施形態に係るコンテンツ管理システムの概要構成例を示す図である。
【図２】各データベースに登録される情報の一例を示す図である。
【図３】ユーザが２次利用コンテンツを作成する場合に、ユーザ端末１の表示部１３に表示されるコンテンツ編集画面の一例を示す図である。
【図４】ユーザが２次利用コンテンツを作成する場合に、ユーザ端末１の表示部１３に表示されるコンテンツ編集画面の一例を示す図である。
【図５】ユーザが２次利用コンテンツを作成する場合に実行されるコンテンツ編集処理を示すフローチャートである。
【図６】パネル表示変更処理の詳細を示すフローチャートである。
【図７】（Ａ）は、上位の原コンテンツ検索処理の詳細を示すフローチャートであり、（Ｂ）は、原コンテンツ作成者への通知処理の詳細を示すフローチャートである。
【発明を実施するための形態】
【００２０】
以下、本発明の実施形態を図面に基づいて説明する。なお、以下に説明する実施の形態は、コンテンツ管理システムに本発明を適用した場合の実施形態である。
【００２１】
［１．コンテンツ管理システムの構成及び動作概要］
始めに、図１を参照して、本実施形態におけるコンテンツ管理システムの構成及び動作概要について説明する。図１は、本実施形態に係るコンテンツ管理システムの概要構成例を示す図である。図１に示すように、本実施形態に係るコンテンツ管理システムＳは、ユーザ端末１と、コンテンツ管理サーバ２とを含んで構成されている。なお、コンテンツ管理サーバ２は、複数のコンテンツを管理するコンテンツ管理装置の一例であり、ネットワークＮＷ上でコンテンツ管理サイトを運用するために設置されたサーバである。
【００２２】
ユーザ端末１とコンテンツ管理サーバ２は、ネットワークＮＷを介して、例えば、通信プロトコルにＴＣＰ／ＩＰ等を用いて相互にデータの送受信が可能になっている。なお、ネットワークＮＷは、例えば、インターネット、専用通信回線（例えば、ＣＡＴＶ（Community Antenna Television）回線）、移動体通信網（基地局等を含む）、及びゲートウェイ等により構築されている。
【００２３】
ユーザ端末１は、制御部１１、記憶部１２、表示部１３、操作部１４、及び通信部１５等を備えて構成される。制御部１１は、ＣＰＵ（Central Processing Unit）、ＲＯＭ（Read Only Memory）、及びＲＡＭ（Random Access Memory）等により構成される。記憶部１２は、例えば、ハードディスク等により構成される。また、記憶部１２には、ＯＳ（Operating System）及びＷｅｂブラウザプログラム等が記憶されている。制御部１１は、Ｗｅｂブラウザプログラムを実行することによりＷｅｂブラウザとして機能する。表示部１３は、コンテンツ管理サーバ２から受信した各種画面を表示する。操作部１４は、コンテンツ管理サイトの利用者であるユーザからの操作指示を受け付けるためのキーボード及びマウス等を備える。通信部１５は、ネットワークＮＷに接続するため通信機器を備える。なお、ユーザ端末１には、パーソナルコンピュータ、スマートフォン、携帯電話機等が適用可能である。
【００２４】
コンテンツ管理サーバ２は、制御部２１、記憶部２２、及び通信部２３等を備えて構成される。制御部２１は、ＣＰＵ、ＲＯＭ、及びＲＡＭ等により構成される。記憶部２２は、本発明における記憶手段の一例であり、例えば、ハードディスク等により構成される。また、記憶部２２には、ＯＳ及びコンテンツ編集プログラム（本発明のコンピュータプログラムを含む）等が記憶されている。本発明のコンピュータプログラムは、例えば、他のサーバからネットワークＮＷを介してダウンロードされるようにしても良いし、ＣＤ−ＲＯＭ等の記録媒体に記録されてドライブを介して読み込まれるようにしても良い。
【００２５】
また、記憶部２２には、ユーザによる登録指示に応じて登録された複数のコンテンツ（ファイル）が記憶されている。コンテンツには、例えば楽曲データ等により構成される楽曲コンテンツや、音声及び映像データ等により構成される動画コンテンツ等がある。また、コンテンツの種別としては、原コンテンツと、複次利用（ｎ次（ｎは２以上の自然数）利用）コンテンツがある。なお、以下の説明においては、複次利用コンテンツを、単に、２次利用コンテンツというものとする。
【００２６】
また、記憶部２２には、ユーザ端末１に各種画面を表示させるためのＷｅｂページデータが記憶されている。Ｗｅｂページデータは、Ｗｅｂページを構成する構造化文書（例えば、ＨＴＭＬ（Hyper Text Markup Language）文書やＸＨＴＭＬ文書等）ファイル等から構成される。
【００２７】
更に、記憶部２２には、コンテンツ情報データベース（ＤＢ）２２１、権利情報データベース（ＤＢ）２２２、権利マスタデータベース（ＤＢ）２２３、及びユーザ情報データベース（ＤＢ）２２４等が構築されている。
【００２８】
図２は、各データベースに登録される情報の一例を示す図である。図２（Ａ）に示すコンテンツ情報データベース２２１には、登録されたコンテンツのコンテンツＩＤ、当該コンテンツのコンテンツ名（ファイル名）、原コンテンツＩＤ、当該コンテンツの作成者（著作権者）であるユーザのユーザＩＤ、及び当該コンテンツが登録された登録日付（例えば、年月日日時）がコンテンツ（コンテンツＩＤ）毎に対応付けられて登録される。ここで、コンテンツＩＤは、登録されたコンテンツを識別するための識別情報である。原コンテンツＩＤは、登録されたコンテンツが２次利用コンテンツである場合に、当該２次利用コンテンツの作成にあたり利用された原コンテンツのコンテンツＩＤを示す。図２（Ａ）に示す例では、コンテンツＩＤ“C00004”のコンテンツが、コンテンツＩＤ“C00002”のコンテンツを利用（つまり、原コンテンツが一つ）していることを示している。なお、図示しないが登録されるコンテンツが、複数のコンテンツを原コンテンツとして利用する場合もあり、この場合、当該登録されるコンテンツのコンテンツＩＤに対して複数の原コンテンツＩＤが対応付けられて登録される。また、登録されるコンテンツが、３次利用コンテンツの場合もあり、この場合、当該登録されるコンテンツのコンテンツＩＤに対して原コンテンツのコンテンツＩＤが原コンテンツＩＤとして対応付けられて登録されるだけでなく、当該原コンテンツが利用した上位の原コンテンツ（原コンテンツの親）のコンテンツＩＤも原コンテンツＩＤとして対応付けられて登録されるように構成してもよい。また、ユーザＩＤは、ユーザを識別するための識別情報である。
【００２９】
図２（Ｂ）に示す権利情報データベース２２２には、登録されたコンテンツのコンテンツＩＤ、複数種類の権利内容毎の識別コード、及び当該権利内容毎の許否情報等がコンテンツ毎に対応付けられて登録される。ここで、識別コードは、登録されたコンテンツの利用に関する権利内容（以下、「コンテンツの権利内容」という）を識別するための識別情報である。権利内容は、登録されたコンテンツに対する利用行為（言い換えれば、操作）を表す。このような権利内容と許否情報によりコンテンツの利用に関する権利範囲（以下、「コンテンツの権利範囲」という）が定まる。この許否情報は、権利内容（言い換えれば、利用行為）を許可するか否かを示す。図２（Ｂ）の例では、コンテンツに対する複数種類の権利内容毎に当該権利内容を許可するか否か（「○」（許可）と「×」（不許可））を示すことにより、当該コンテンツの権利範囲を示している。このように権利範囲を規定する情報を権利情報（例えば、権利内容毎の識別コード及び許否情報）という。なお、本実施形態においては、権利情報データベース２２２に、全ての権利内容の識別コードをコンテンツＩＤに対応付けて登録すると共に、夫々の権利内容の識別コードに対して、夫々の権利内容を許可するか否かを示す許否情報を対応付けて登録することで、コンテンツの権利範囲が判断できるように構成したが、これ以外にも、例えば、権利情報データベース２２２に、コンテンツの作成者により許諾された権利内容の識別コードを登録することで、コンテンツの権利範囲が判断できるように構成してもよい。或いは、例えば、コンテンツの作成者により許諾されていない権利内容の識別コードをコンテンツＩＤに対応付けて登録することで、コンテンツの権利範囲が判断できるように構成してもよい。
【００３０】
図２（Ｃ）に示す権利マスタデータベース２２３には、コンテンツの権利内容の例として、「現状利用」、「複製」、「デジタルコピー」・・・等が登録されており、それぞれの権利内容には固有の識別コードが対応付けられている。
【００３１】
図２（Ｄ）に示すユーザ情報データベース２２４には、会員登録されたユーザのユーザＩＤ、氏名、パスワード、及びメールアドレス等がユーザ（ユーザＩＤ）毎に対応付けられて登録される。ここで、パスワードは、ユーザＩＤとともにユーザがコンテンツ管理サイトにログインするためのログイン処理に用いられる。
【００３２】
制御部２１には、コンピュータとしてコンテンツ編集プログラムを実行することによりＷｅｂサーバとして機能するとともに、本発明における取得手段、決定手段、提示手段、特定手段、検索手段、判定手段、受付手段、及び通知手段として機能し、後述する処理を行う。例えば、制御部２１は、複数のコンテンツを利用して２次利用コンテンツを作成するユーザにより指定された当該複数のコンテンツと、当該指定された各々のコンテンツに対応する権利情報を記憶部２２にアクセスして権利情報データベース２２２から取得する。そして、制御部２１は、２次利用コンテンツの権利範囲を、上記取得された複数の権利情報に基づいて決定し、当該決定された権利範囲をユーザに対して提示する。これにより、ユーザが複数の原コンテンツを利用して２次利用コンテンツを作成する際に、各々の原コンテンツの権利範囲が考慮された、２次利用コンテンツの権利範囲をユーザに容易に把握させることが可能となる。
【００３３】
ところで、このように複数の原コンテンツを利用して２次利用コンテンツを作成する場合、原コンテンツ間において権利内容が相反する（つまり、権利内容に対する許否情報が相反する）ことから２次利用コンテンツを公開できなくなる、或いは公開するために２次利用コンテンツをアップロードする際に気づく可能性がある。このような問題を解決するため、後述するように、制御部２１は、ある原コンテンツに対して権利内容が相反しない上位の原コンテンツをユーザに対して提示することもできる。
【００３４】
なお、コンテンツ管理サーバ２は、一つのサーバにより構成されてもよいし、複数のサーバ（例えば、Ｗｅｂサーバ、アプリケーションサーバ、及びデータベースサーバ等）により構成されてもよい。コンテンツ管理サーバ２に備えられる記憶部２２は、該コンテンツ管理サーバ２とは物理的に分離された他のサーバに備えられるように構成してもよい。この場合、制御部２１は、例えば他のサーバに備えられる記憶部２２にアクセスすることになる。
【００３５】
［２．コンテンツ管理システムＳの動作］
次に、本実施形態におけるコンテンツ管理システムＳの動作について説明する。図３及び図４は、ユーザが２次利用コンテンツを作成する場合に、ユーザ端末１の表示部１３に表示されるコンテンツ編集画面の一例を示す図である。図５は、ユーザが２次利用コンテンツを作成する場合に実行されるコンテンツ編集処理を示すフローチャートである。
【００３６】
以下に説明する動作の前提として、ユーザ端末１においてＷｅｂブラウザが起動し、ユーザ端末１からコンテンツ管理サーバ２へ送信されるログイン要求（ユーザのユーザＩＤ及びパスワード）に応じてコンテンツ管理サーバ２が行うログイン処理によりユーザ端末１のユーザがログインしている（ユーザ認証されている）ものとする。そして、コンテンツ管理サーバ２がユーザ端末１からコンテンツ編集開始指示を示すリクエストを受信すると、コンテンツ編集プログラムが起動して図５に示す処理が開始される。なお、コンテンツ編集開始指示を示すリクエストは、例えばユーザがユーザ端末１の操作部１４を操作してコンテンツ編集開始指示を行うことによりユーザ端末１から送信される。こうして図５に示す処理が開始されると、コンテンツ管理サーバ２の制御部２１は、コンテンツ編集画面を表示するためのＷｅｂページデータをユーザ端末１へ送信することによりＷｅｂブラウザにコンテンツ編集画面を表示させる。その後、コンテンツ管理サーバ２の制御部２１は、ユーザ端末１からのリクエスト（ユーザによる指示を示すリクエスト）に応じた処理を実行することになる。
【００３７】
図５において、コンテンツ管理サーバ２の制御部２１は、ユーザ端末１からリクエストを受信すると、リクエストに示される処理内容を判別する（ステップＳ１）。具体的には、ステップＳ２において、制御部２１は、当該処理内容がコンテンツ編集終了であるか否かを判別し、コンテンツ編集終了でない場合には（ステップＳ２：ＮＯ）、ステップＳ３へ進み、当該処理内容がコンテンツ編集終了である場合には（ステップＳ２：ＹＥＳ）、ステップＳ１０へ進む。
【００３８】
ステップＳ３では、制御部２１は、当該処理内容が「原コンテンツの取得」であるか否かを判別し、「原コンテンツの取得」である場合には（ステップＳ３：ＹＥＳ）、ステップＳ４へ進み、当該処理内容が「原コンテンツの取得」でない場合には（ステップＳ３：ＮＯ）、ステップＳ５へ進む。なお、原コンテンツが、他の原コンテンツを利用して作成されたコンテンツである場合もある。このように、原コンテンツの作成に当たり過去に利用されたコンテンツを、以下、「上位の原コンテンツ」という。
【００３９】
ステップＳ４では、制御部２１は、２次利用コンテンツを作成するユーザにより指定（例えば、操作部１４から指定）された複数の原コンテンツを記憶部２２から取得する。こうして取得された各々の原コンテンツ（原コンテンツのファイル）はコンテンツＩＤ及びコンテンツ名と共にユーザ端末１へ送信され、一時的に記憶される。ここで、ユーザにより指定される候補となる原コンテンツは、例えば、コンテンツ検索画面（図示せず）の入力欄にユーザにより操作部１４から入力されたキーワードに基づいて検索される。そして、検索された原コンテンツのコンテンツ名のリストが表示され、その中からユーザにより原コンテンツが指定されることになる。また、ユーザにより指定されることで取得された各々の原コンテンツのコンテンツ名は、例えば、図３に示すように、コンテンツ編集画面における未追加コンテンツのリスト５２中に表示される。このような未追加コンテンツのリスト５２中に表示されるコンテンツ（コンテンツ名が「aaa.jpg」等のコンテンツ)は、ユーザが２次利用コンテンツ作成のために利用可能な原コンテンツの候補である。
【００４０】
ステップＳ５では、制御部２１は、上記処理内容が「作成中の２次利用コンテンツへの原コンテンツの追加」であるか否かを判別し、「原コンテンツの追加」である場合には（ステップＳ５：ＹＥＳ）、ステップＳ６へ進み、当該処理内容が「原コンテンツの追加」でない場合には（ステップＳ５：ＮＯ）、ステップＳ７へ進む。例えば、ユーザは、未追加コンテンツのリスト５２中から、２次利用コンテンツの作成に利用する原コンテンツを操作部１４により選択（コンテンツ名を選択）することで原コンテンツの追加を行うことができる。追加された原コンテンツのファイル名は、コンテンツ編集画面における利用コンテンツのリスト５１中に表示されると共に、２次利用コンテンツの構成表示部５３に映像と音声に区別されて表示される。この構成表示部５３には、作成中の２次利用コンテンツにより利用される原コンテンツの当該２次利用コンテンツ中における位置（再生開始からの時間的な位置）が概念的に表わされる。また、画像表示欄５４には、利用コンテンツのリスト５１に追加された原コンテンツのうち、２次利用コンテンツの構成表示部５３におけるタイムラインＴＬ近傍に位置（再生開始からの時間的な位置）する原コンテンツの画像が表示される。なお、追加された原コンテンツのコンテンツＩＤはコンテンツ管理サーバ２へ送信される。
【００４１】
ステップＳ６では、制御部２１は、パネル表示変更処理を実行する。図６は、パネル表示変更処理の詳細を示すフローチャートである。図６において、制御部２１は、追加された原コンテンツに対応する権利情報を権利情報データベース２２２等から取得する（ステップＳ６１）。この権利情報には、権利内容毎の識別コード及び許否情報の他にも権利内容毎の名称が含まれてもよい。
【００４２】
次いで、制御部２１は、２次利用コンテンツ作成のための原コンテンツが既に追加されているか否かを判定する（ステップＳ６２）。そして、制御部２１は、原コンテンツが追加されていない（つまり、追加された原コンテンツが１つ目の原コンテンツである）と判定した場合には（ステップＳ６２：ＮＯ）、ステップＳ６３に進む。一方、制御部２１は、原コンテンツが既に追加されていると判定した場合には（ステップＳ６２：ＹＥＳ）、ステップＳ６５に進む。なお、ステップＳ６５〜Ｓ７３の処理は、ユーザにより作成される２次利用コンテンツの権利範囲を、上記追加された複数の原コンテンツの権利情報に基づいて決定する処理である。
【００４３】
ステップＳ６３では、制御部２１は、上記ステップＳ６１で取得された権利情報に規定された権利範囲を、追加された原コンテンツの権利範囲として設定する。次いで、制御部２１は、上記ステップＳ６３で設定された権利範囲に基づき、図３に示すように、コンテンツ編集画面における権利主張範囲表示パネル５５上の表示内容を変更させ（ステップＳ６４）、図５に示す処理に戻る。例えば、制御部２１は、上記ステップＳ６４で設定された権利範囲を規定する権利情報を含む表示変更指令をユーザ端末１へ送信することによりＷｅｂブラウザに表示内容を変更させる。図３に示す権利主張範囲表示パネル５５上には、追加された原コンテンツの権利範囲が、各々の権利内容を許可するか否か（「○」（許可）と「×」（不許可））により表示されている。このように表示される権利範囲は、原コンテンツを利用して２次利用コンテンツを作成するユーザにとって自らが他のユーザに対して主張可能な権利範囲となる。
【００４４】
ステップＳ６５では、制御部２１は、追加された複数の原コンテンツの権利内容毎の識別コード及び許否情報を比較リストに追加（登録）する。次いで、制御部２１は、比較リストから権利内容を１つ特定し（言い換えれば、比較リストから１件（例えば、「複製」）取り出す）、当該特定した権利内容に対する各々の原コンテンツの許否情報を当該比較リストから取得する（ステップＳ６６）。なお、このとき取得された許否情報は比較リストから削除される。
【００４５】
次いで、制御部２１は、上記特定された権利内容に対して、追加された全ての原コンテンツの許否情報が許可を示すか否かを判定する（ステップＳ６７）。そして、制御部２１は、追加された全ての原コンテンツの許否情報が許可を示すと判定した場合には（ステップＳ６７：ＹＥＳ）、ステップＳ６８に進む。例えば、上記ステップＳ６６の処理で、図２（Ｂ）に示すコンテンツＩＤ“C00001”と、コンテンツＩＤ“C00003”と、コンテンツＩＤ“C00004”の各々の原コンテンツの権利内容「複製」（識別コード：R11）の許否情報が取得されたとすると、これらの原コンテンツはいずれも「複製」に対して許可であるため、ステップＳ６８に進む。
【００４６】
一方、制御部２１は、追加された全ての原コンテンツの許否情報が許可を示さないと判定した場合には（ステップＳ６７：ＮＯ）、ステップＳ６９に進む。
【００４７】
ステップＳ６８では、制御部２１は、上記ステップＳ６６で特定された権利内容を、追加された全ての原コンテンツで許可されている権利内容として特定し、作成中の２次利用コンテンツ（つまり、上記追加された複数の原コンテンツを利用する２次利用コンテンツ）の当該権利内容（利用行為）を許可することを示す許否情報をセット（許可にセット）し、ステップＳ７３へ進む。例えば、当該権利内容の識別コードに対応付けられて当該許否情報が記憶される。
【００４８】
ステップＳ６９では、制御部２１は、上記特定された権利内容に対して、追加された全ての原コンテンツの許否情報が不許可を示すか否かを判定する。そして、制御部２１は、追加された全ての原コンテンツの許否情報が不許可を示すと判定した場合には（ステップＳ６９：ＹＥＳ）、ステップＳ７０に進む。例えば、上記ステップＳ６６の処理で、図２（Ｂ）に示すコンテンツＩＤ“C00001”と、コンテンツＩＤ“C00003”と、コンテンツＩＤ“C00004”の各々の原コンテンツの権利内容「翻案」（識別コード：R34）の許否情報が取得されたとすると、これらの原コンテンツはいずれも「翻案」に対して不許可であるため、ステップＳ７０に進む。
【００４９】
一方、制御部２１は、追加された全ての原コンテンツの許否情報が不許可を示さない（つまり、一部の原コンテンツで許可されていない）と判定した場合には（ステップＳ６９：ＮＯ）、ステップＳ７１に進む。例えば、上記ステップＳ６６の処理で、図２（Ｂ）に示すコンテンツＩＤ“C00001”と、コンテンツＩＤ“C00003”と、コンテンツＩＤ“C00004”の各々の原コンテンツの権利内容「編曲」（識別コード：R32）の許否情報が取得されたとすると、これらの原コンテンツのうちコンテンツＩＤ“C00004”の原コンテンツのみが「編曲」に対して不許可であるため、ステップＳ７１に進む。
【００５０】
ステップＳ７０では、制御部２１は、上記ステップＳ６６で特定された権利内容を、追加された全ての原コンテンツで許可されていない権利内容として特定し、作成中の２次利用コンテンツの当該権利内容を許可しないことを示す許否情報をセット（不許可にセット）し、ステップＳ７３へ進む。
【００５１】
ステップＳ７１では、制御部２１は、上記ステップＳ６６で特定された権利内容を、追加された複数の原コンテンツのうちの一部の原コンテンツで許可されていない権利内容として特定し、作成中の２次利用コンテンツの当該権利内容を許可しないことを示す許否情報をセットする。次いで、制御部２１は、当該一部の原コンテンツで許可されていないとして特定した権利内容に対して「上位の原コンテンツの提示ボタン」をセットし（ステップＳ７２）、ステップＳ７３へ進む。例えば、当該権利内容の識別コードに対応付けられて当該提示ボタンの表示オン設定を示す情報が記憶される。
【００５２】
ステップＳ７３では、制御部２１は、比較リストに許否情報が未だ登録されているか（言い換えれば、上記ステップＳ６６で取得されていない許否情報が比較リストに未だある（つまり、比較リストに残っているか））否かを判定する。そして、制御部２１は、比較リストに許否情報が未だ登録されていると判定した場合には（ステップＳ７３：ＹＥＳ）、ステップＳ６６に戻り、別の権利内容を比較リストから１つ特定し、上記と同様の処理を行う。一方、制御部２１は、比較リストに許否情報が登録されていないと判定した場合には（ステップＳ７３：ＮＯ）、ステップＳ６４へ移行する。こうして、作成中の２次利用コンテンツの権利範囲が決定される。
【００５３】
そして、ステップＳ６４では、制御部２１は、上記ステップＳ６８、ステップＳ７０、及びステップＳ７１のうち少なくとも何れか一つのステップでセットされた各権利内容の許否情報により決定される権利範囲に基づき、図４に示すように、コンテンツ編集画面における権利主張範囲表示パネル５５上の表示内容を変更させ、図５に示す処理に戻る。例えば、制御部２１は、上記ステップＳ６８、ステップＳ７０、及びステップＳ７１のうち少なくとも何れか一つのステップに基づき決定された権利範囲を規定する権利情報を含む表示変更指令をユーザ端末１へ送信することによりＷｅｂブラウザに表示内容を変更させる。図４に示す権利主張範囲表示パネル５５上において、追加された複数の原コンテンツの複数種類の権利内容の中で、全ての原コンテンツで許可されている権利内容（例えば、「複製」（識別コード：R11））は、作成中の２次利用コンテンツに対する権利内容として許可する表示（○）になっており、２次利用コンテンツを作成しているユーザに対して提示される。これにより、ユーザが複数の原コンテンツを利用して２次利用コンテンツを作成する際に、各々の原コンテンツの権利範囲に示される複数種類の権利内容の中で、２次利用コンテンツに対して許可される権利内容をユーザに容易に把握させることができる。
【００５４】
一方、図４に示す権利主張範囲表示パネル５５上において、追加された複数の原コンテンツの複数種類の権利内容の中で、一部の原コンテンツ（例えば、コンテンツＩＤ“C00004”の原コンテンツ）で許可されていない権利内容（例えば、「編曲」（識別コード：R32））は、作成中の２次利用コンテンツに対する権利内容として不許可にする表示（×）になっており、２次利用コンテンツを作成しているユーザに対して提示される。更に、この場合（つまり、上記ステップＳ７２で「上位の原コンテンツの提示ボタン」がセットされた場合）、制御部２１は、図４に示すように、上記一部の原コンテンツで許可されていないとして特定した権利内容の表示に対応付けて「提示ボタンＢ」を表示させる。例えば、制御部２１は、当該権利内容の識別コードに対応付けられた、提示ボタンＢの表示オン設定を示す情報を上記表示変更指令に含めてユーザ端末１へ送信することによりＷｅｂブラウザに当該提示ボタンＢを変更させる。これにより、ユーザが複数の原コンテンツを利用して２次利用コンテンツを作成する際に、各々の原コンテンツの権利範囲に示される複数種類の権利内容の中で、２次利用コンテンツに対して不許可とされる権利内容をユーザに容易に把握させることができる。
【００５５】
一方、図４に示す権利主張範囲表示パネル５５上において、追加された複数の原コンテンツの複数種類の権利内容の中で、全ての原コンテンツで許可されていない権利内容（例えば、「翻案」（識別コード：R34））は、作成中の２次利用コンテンツに対する権利内容として不許可とする表示になっており、２次利用コンテンツを作成している利用者に対して提示される。この場合の不許可とする表示は、一部の原コンテンツで許可されていない権利内容に対応付けられた不許可にする表示よりも目立つ表示態様になっている。つまり、制御部２１は、追加された複数の原コンテンツの権利範囲に示される複数種類の権利内容の中で、当該複数の原コンテンツのうち、一部の原コンテンツで許可されている（言い換えれば、一部の原コンテンツで許可されていない）権利内容と、全ての原コンテンツで許可されていない権利内容とを異なる提示態様（表示態様）でユーザに提示する。これにより、ユーザが複数の原コンテンツを利用して２次利用コンテンツを作成する際に、各々の原コンテンツの権利範囲に示される複数種類の権利内容の中で、一部の原コンテンツで許可されている権利内容と、全ての原コンテンツで許可されていない権利内容とをユーザに区別して把握させることができる。よって、ユーザは、代わりとなる原コンテンツを探し易い権利内容であるかどうかを一目で把握することができる。なお、図４に示す権利主張範囲表示パネル５５上において、異なる提示態様の例として、一部の原コンテンツで許可されている権利内容に対応付けられた記号（マーク）と、全ての原コンテンツで許可されていない権利内容に対応付けられた記号（マーク）と、の大きさを異ならせるように構成したが、これに限定されるものではない。異なる提示態様の他の例として、一部の原コンテンツで許可されている権利内容を表す文字又はこれに対応付けられた記号と、全ての原コンテンツで許可されていない権利内容を表す文字又はこれに対応付けられた記号と、の色、サイズ、フォント、背景色等を異ならせて表示するように構成してもよい。
【００５６】
図５に示す処理に戻り、ステップＳ７では、制御部２１は、上記処理内容が「上位の原コンテンツの検索（抽出）」であるか否かを判別する。例えば、ユーザが、図４に示すように表示された提示ボタンＢのうち、所望の権利内容に対応付けられた操作ボタンＢを操作部１４から選択すると、当該選択された提示ボタンＢに対応する権利内容の識別コードがコンテンツ管理サーバ２へ送信されることで、「上位の原コンテンツの検索」であると判別される。そして、制御部２１は、「上位の原コンテンツの検索」である場合には（ステップＳ７：ＹＥＳ）、ステップＳ８へ進み、当該処理内容が「上位の原コンテンツの検索」でない場合には（ステップＳ７：ＮＯ）、ステップＳ９へ進む。なお、ステップＳ９に示す「その他の処理」では、例えばタイムラインＴＬへの原コンテンツの貼り付け（例えば、ドラッグ＆ドロップ）などの処理が行われる。タイムラインＴＬへの原コンテンツの貼り付けでも、原コンテンツの追加を行うことができる。
【００５７】
ステップＳ８では、制御部２１は、上位の原コンテンツ検索（抽出）処理を実行する。図７（Ａ）は、上位の原コンテンツ検索処理の詳細を示すフローチャートである。上位の原コンテンツ検索処理は、上記ステップＳ７１で特定された権利内容を許可していない原コンテンツの上位の原コンテンツの権利情報を検索する処理である。原コンテンツの権利範囲に比べてこれの上位の原コンテンツの権利範囲は広いため、原コンテンツが権利内容を許可していない場合でも、上位の原コンテンツが当該権利内容を許可している場合がある。そのため、上位の原コンテンツ検索処理により、当該権利内容について許可されていない原コンテンツの代わりとなる原コンテンツをユーザに対して提示することができる。
【００５８】
図７（Ａ）において、制御部２１は、ユーザにより選択された提示ボタンＢに対応付けられた権利内容を不許可とする原コンテンツを特定し、特定した原コンテンツの例えばコンテンツＩＤ（コンテンツ名でもよい）を原コンテンツリストに追加（登録）する（ステップＳ８１）。
【００５９】
次いで、制御部２１は、提示コンテンツリストを初期化する（つまり、空にする）（ステップＳ８２）。この提示コンテンツリストは、ユーザに提示される上位の原コンテンツの情報（例えば、コンテンツＩＤ及びコンテンツ名）を登録するためのリストである。次いで、制御部２１は、原コンテンツリストから原コンテンツを１つ特定する（言い換えれば、原コンテンツリストから１件取り出す）（ステップＳ８３）。なお、このとき特定された原コンテンツのコンテンツＩＤ等は原コンテンツリストから削除される。
【００６０】
次いで、制御部２１は、上記ステップＳ８３で特定された原コンテンツの上位の原コンテンツ及び当該上位の原コンテンツの権利情報を記憶部２２から検索し（ステップＳ８４）、当該上位の原コンテンツ及びその権利情報がある場合には（ステップ８４：ＹＥＳ）、ステップＳ８５へ進む。例えば、制御部２１は、コンテンツ情報データベース２２１を参照し、上記ステップＳ８３で特定された原コンテンツのコンテンツＩＤに対応付けられて原コンテンツＩＤが登録されていれば、当該原コンテンツＩＤを取得する。そして、制御部２１は、取得した原コンテンツＩＤをコンテンツＩＤとする上位の原コンテンツの権利情報を権利情報データベース２２２から取得する。一方、当該上位の原コンテンツ及びその権利情報がない場合には（ステップ８４：ＮＯ）、ステップＳ８７へ進む。なお、例えば、上位の原コンテンツ及びその権利情報がない場合に、制御部２１は、さらに上位の原コンテンツ及びその権利情報を検索し、ステップＳ８５以降の処理を行うように構成してもよい。
【００６１】
ステップＳ８５では、制御部２１は、上記ステップＳ８４で検索された権利情報に基づいて、上記ステップＳ８４で検索された上位の原コンテンツに対する権利内容であって、上記選択された提示ボタンＢに対応付けられた権利内容が許可されているか否かを判定する。そして、制御部２１は、当該権利内容が許可されていると判定した場合には（ステップＳ８５：ＹＥＳ）、ステップＳ８６に進み、当該権利内容が許可されていないと判定した場合には（ステップＳ８５：ＮＯ）、ステップＳ８７に進む。
【００６２】
ステップＳ８６では、制御部２１は、上記ステップＳ８４で検索された上位の原コンテンツの情報を提示コンテンツリストに追加（登録）する。
【００６３】
ステップＳ８７では、制御部２１は、原コンテンツリストに原コンテンツのコンテンツＩＤ等が未だ登録されているか否かを判定する。そして、制御部２１は、原コンテンツリストに原コンテンツのコンテンツＩＤ等が未だ登録されていると判定した場合には（ステップＳ８７：ＹＥＳ）、ステップＳ８３に戻り、別の原コンテンツを原コンテンツリストから１つ特定し、上記と同様の処理を行う。一方、制御部２１は、原コンテンツリストに原コンテンツが登録されていないと判定した場合には（ステップＳ８７：ＮＯ）、ステップＳ８８へ進む。
【００６４】
ステップＳ８８では、制御部２１は、上位の原コンテンツの情報（例えば、コンテンツＩＤ及びコンテンツ名）を選択可能に表示する提示コンテンツリストをユーザ端末１に表示させる。例えば、制御部２１は、提示コンテンツリストをユーザ端末１へ送信することによりＷｅｂブラウザに表示させる。なお、提示コンテンツリストは、例えば、このときに表示されているコンテンツ編集画面上に表示される。こうして、上記ステップＳ８５で権利内容が許可されていると判定された場合に、上記ステップＳ８４で検索された上位の原コンテンツがユーザに対して提示されることになる。これにより、上記選択された提示ボタンＢに対応付けられた権利内容を許可していない原コンテンツの代わりとなる上位の原コンテンツをユーザに対して効率良く推薦し、把握させることができる。このような提示コンテンツリストの中から所望の上位の原コンテンツがユーザにより指定されることで、当該指定された上位の原コンテンツがコンテンツ管理サーバ２から取得されるとともに、当該取得された上位の原コンテンツのコンテンツ名が、例えば図４に示すコンテンツ編集画面における未追加コンテンツのリスト５２中に表示される。そして、ユーザは、未追加コンテンツのリスト５２中から、所望の上位の原コンテンツを選択することで、上述したパネル表示変更処理（ステップＳ６）が行われることになる。これにより、複数の原コンテンツ間で権利内容が相反し、一部の原コンテンツが当該権利内容を許可していない場合であっても、ユーザは、権利内容が相反しない上位の原コンテンツを利用して所望の２次利用コンテンツを作成して公開することが可能となる。すなわち、ユーザは、最大限、権利範囲を広くした２次利用コンテンツを作成して公開することができる（ユーザが所望の２次利用コンテンツを作成する幅が広がる）。
【００６５】
なお、提示コンテンツリストに上位の原コンテンツが１つも登録されていない場合、提示対象の上位の原コンテンツがないことを示す情報をユーザ端末１の表示部１３に表示させるように構成してもよい。
【００６６】
図５に示す処理に戻り、ステップＳ１０では、制御部２１は、作成された２次利用コンテンツ（図４に示す構成表示部５３に示される構成の２次利用コンテンツ）の登録指示（投稿指示）を受け付けたか否かを判定する。例えば、コンテンツ管理サーバ２がユーザ端末１から登録指示を示すリクエストを受信することにより、２次利用コンテンツの登録指示を受け付けたと判定される。このような登録指示を示すリクエストは、２次利用コンテンツを作成したユーザが当該２次利用コンテンツを公開するために、ユーザ端末１の操作部１４を操作して登録指示を行うことによりユーザ端末１から送信される。なお、この登録指示を示すリクエストに加えて、作成された２次利用コンテンツ及び当該２次利用コンテンツの権利情報がユーザ端末１からコンテンツ管理サーバ２へ送信（アップロード）される。更に、作成された２次利用コンテンツの作成に利用された各々の原コンテンツのコンテンツＩＤがユーザ端末１からコンテンツ管理サーバ２へ送信される。
【００６７】
そして、制御部２１は、２次利用コンテンツの登録指示を受け付けていない場合には（ステップ１０：ＮＯ）、図５に示すコンテンツ編集処理を終了する。一方、制御部２１は、２次利用コンテンツの登録指示を受け付けた場合には（ステップＳ１０：ＹＥＳ）、ユーザ端末１からアップロードされた２次利用コンテンツ及びその権利情報、並びに原コンテンツのコンテンツＩＤを受信し、当該受信された２次利用コンテンツ及び権利情報の登録処理を行う（ステップＳ１１）。この登録処理では、上記登録指示に応じてアップロードされた２次利用コンテンツのファイルの記憶部２１への記憶、及び当該２次利用コンテンツに関する情報のコンテンツ情報データベース２２１及び権利情報データベース２２２への登録が行われる。なお、コンテンツ情報データベース２２１へは、当該２次利用コンテンツのコンテンツＩＤ、コンテンツ名、原コンテンツＩＤ、２次利用コンテンツの作成者のユーザＩＤ、及び登録日付が登録される。一方、権利情報データベース２２２へは、当該２次利用コンテンツのコンテンツＩＤ、複数種類の権利内容毎の識別コード、及び当該権利内容毎の許否情報が登録される。
【００６８】
次いで、制御部２１は、原コンテンツ作成者への通知処理を実行する（ステップＳ１２）。図７（Ｂ）は、原コンテンツ作成者への通知処理の詳細を示すフローチャートである。図７（Ｂ）において、制御部２１は、上記ステップＳ１１で登録された２次利用コンテンツの作成に当たり利用された各々の原コンテンツの作成者のユーザＩＤをコンテンツ情報データベース２２１から取得（原コンテンツのコンテンツＩＤをキーとして取得）し、当該取得したユーザＩＤに対応付けられたメールアドレスをユーザ情報データベース２２４から取得する（ステップＳ１２１）。
【００６９】
次いで、制御部２１は、原コンテンツの作成者に対して、当該原コンテンツが利用されて２次利用コンテンツが作成されたことを示す情報を記述する電子メールを、上記取得したメールアドレス宛に送信する（ステップＳ１２２）。これにより、２次利用コンテンツの作成にあたり利用された各々の原コンテンツの作成者に対して、当該原コンテンツが利用されて２次利用コンテンツが作成されたことを示す情報が通知されることになる。そのため、複数の原コンテンツを利用して２次利用コンテンツが作成された場合に、その旨を各々の原コンテンツの作成者に対して迅速に通知することができる。なお、当該原コンテンツが利用されて２次利用コンテンツが作成されたことを示す情報は、原コンテンツの作成者がログインした後のＷｅｂページ上で通知するように構成してもよい。
【００７０】
また、上記作成された２次利用コンテンツのＵＲＬ（Uniform Resource Locator）を各々の原コンテンツの作成者に対して電子メール又はログイン後のＷｅｂページ上で通知するように構成してもよい。これにより原コンテンツの作成者が、通知されたＵＲＬをＷｅｂブラウザで指定することにより上記２次利用コンテンツがＷｅｂブラウザ上で再生され仮視聴することができる。
【００７１】
なお、ユーザ端末１のユーザは、過去にコンテンツを作成して登録した著作権保持者以外の利用者であってもよい。また、このような利用者が一般に公開することを目的として、著作権を保有しないコンテンツを利用、引用、変更、修正等をして、別のコンテンツを作成する場合に上記コンテンツ編集処理が行われる場合もある。
【００７２】
以上説明したように、上記実施形態によれば、複数のコンテンツを利用して２次利用コンテンツを作成するユーザにより指定された当該複数のコンテンツの権利情報に基づいて、２次利用コンテンツの権利範囲を決定し、当該決定された権利範囲をユーザに対して提示するように構成したので、ユーザが複数の原コンテンツを利用して２次利用コンテンツを作成する際に、各々の原コンテンツの権利範囲が考慮された、２次利用コンテンツの権利範囲を２次利用コンテンツの作成中にユーザに容易に把握させることができる。
【００７３】
なお、上記実施形態においては、図５に示すコンテンツ編集処理は、コンテンツ管理サーバ２により実行されるように構成したが、当該コンテンツ編集処理はユーザ端末１により実行されるように構成してもよい。この場合、ユーザ端末１に上記コンテンツ編集プログラムがインストールされる（Ｗｅｂブラウザのプラグインソフトとしてインストールされてもよい）。そして、ユーザ端末１の制御部１１は、コンピュータとしてコンテンツ編集プログラムを実行することにより、コンテンツ管理サーバ２を介して記憶部２２にアクセス可能となり、本発明における取得手段、決定手段、提示手段、特定手段、検索手段、及び判定手段等として機能することになる。この場合の上記処理内容は、ユーザによる操作部１４の操作に基づき判別される。
【００７４】
以下に、図５に示すコンテンツ編集処理が、ユーザ端末１により実行される場合について、コンテンツ管理サーバ２により実行される場合と異なる部分を中心に説明する。図５に示すステップＳ４では、ユーザ端末１の制御部１１は、２次利用コンテンツを作成するユーザにより指定された複数の原コンテンツをコンテンツ管理サーバ２から取得する。図５に示すステップＳ６に示すパネル表示変更処理についても制御部１１が実行する。具体的には、図６に示すパネル表示変更処理において、制御部１１は、追加された原コンテンツに対応する権利情報をコンテンツ管理サーバ２から取得する（ステップＳ６１）。そして、制御部１１は、２次利用コンテンツ作成のための原コンテンツが既に追加されているか否かを判定し（ステップＳ６２）、原コンテンツが追加されていないと判定した場合には（ステップＳ６２：ＮＯ）、ステップＳ６３，Ｓ６４の処理を行う。一方、制御部１１は、原コンテンツが既に追加されていると判定した場合には（ステップＳ６２：ＹＥＳ）、ステップＳ６５〜Ｓ７３において、ユーザにより作成される２次利用コンテンツの権利範囲を、上記追加された複数の原コンテンツの権利情報に基づいて決定する。なお、ユーザ端末１の制御部１１は、原コンテンツが既に追加されていると判定した場合に、コンテンツ管理サーバ２に対して、２次利用コンテンツの権利範囲を決定させる要求を行うことで、ステップＳ６５〜Ｓ７３の処理をコンテンツ管理サーバ２の制御部２１に行わせるように構成してもよい。
【００７５】
図５に示す処理に戻り、ステップＳ８に示す上位の原コンテンツ検索処理についてもユーザ端末１の制御部１１が実行する。具体的には、図７（Ａ）に示す上位の原コンテンツ検索処理において、制御部１１は、ステップＳ８１〜Ｓ８３に示す処理を行った後、上記ステップＳ８３で特定された原コンテンツの上位の原コンテンツ及び当該上位の原コンテンツの権利情報の検索をコンテンツ管理サーバ２に要求して実行させる（ステップＳ８４）。そして、制御部１１は、ステップＳ８５〜Ｓ８７に示す処理を行った後、上位の原コンテンツの情報を選択可能に表示する提示コンテンツリストを表示部１３に表示させる。図５に示す処理に戻り、制御部１１は、作成された２次利用コンテンツの登録指示をユーザから受け付けた場合には（ステップＳ１０：ＹＥＳ）、作成された２次利用コンテンツ及び当該２次利用コンテンツの権利情報をコンテンツ管理サーバ２へ送信（アップロード）して（ステップＳ１１）、コンテンツ管理サーバ２に登録処理を実行させる。そして、制御部１１は、原コンテンツ作成者への通知処理を実行する要求をコンテンツ管理サーバ２へ送信する（ステップＳ１２）。これにより、図７（Ｂ）に示す処理がコンテンツ管理サーバ２により行われる。
【符号の説明】
【００７６】
１  ユーザ端末
２  コンテンツ管理サーバ
１１，２１  制御部
１２，２２  記憶部
１３  表示部
１４  操作部
１５、２３  通信部
２２１  コンテンツ情報データベース
２２２  権利情報データベース
２２３  権利マスタデータベース
２２４  ユーザ情報データベース
Ｓ  コンテンツ管理システム
【図１】
2013073491.tif 000003
【図３】
2013073491.tif 000004
【図４】
2013073491.tif 000005
【図５】
2013073491.tif 000006
【図６】
2013073491.tif 000007
【図７】
2013073491.tif 000008
【図２】
2013073491.tif 000009